(57)【要約】【課題】誤操作を容易に防止することが可能な健康器具を提供する。【解決手段】健康器具としてのマッサージ椅子において、所定時間Ｔ１内における各種操作スイッチの累積操作回数ｎに基づいて誤操作を判定する誤操作判定手段、及び誤操作判定に基づき可動部としてのマッサージ機構の作動を停止し、以後の操作スイッチの操作を無効とする作動停止手段としての制御部を備える。【選択図】図４
2009082177.tif 000002
【特許請求の範囲】
【請求項１】
操作部に設けられた各種操作スイッチの操作により作動する可動部を備えた健康器具であって、
所定時間内における前記操作スイッチの累積操作回数に基づいて誤操作を判定する誤操作判定手段と、
その誤操作判定に基づき前記可動部の作動を停止し、以後の前記操作スイッチの操作を無効とする作動停止手段とを備えたことを特徴とする健康器具。
【請求項２】
請求項１に記載の健康器具において、
前記操作スイッチは、前記操作部を起動又は停止させるための作動スイッチを含み、
前記誤操作判定手段は、前記作動スイッチの累積操作回数に基づいて誤操作を判定することを特徴とする健康器具。
【請求項３】
請求項１に記載の健康器具において、
前記誤操作判定手段は、その時々で無効化されている前記操作スイッチの累積操作回数に基づいて誤操作を判定することを特徴とする健康器具。
【請求項４】
請求項３に記載の健康器具において、
前記操作スイッチは、常時無効化されたダミースイッチを含み、
前記誤操作判定手段は、前記ダミースイッチの操作を無効化されている前記操作スイッチの累積操作回数としてカウントすることを特徴とする健康器具。
【請求項５】
請求項４に記載の健康器具において、
前記ダミースイッチは、そのスイッチ自身又はその操作により視覚的に作用させる、若しくはその操作により聴覚的に作用させることを特徴とする健康器具。
【請求項６】
請求項１〜５のいずれか１項に記載の健康器具において、
前記誤操作判定手段の誤操作判定に基づいて作動する報知手段を備えたことを特徴とする健康器具。
【請求項７】
請求項１〜６のいずれか１項に記載の健康器具において、
前記作動停止手段による作動停止状態は、健康器具の主電源スイッチを一旦オフした後、再びオンすることで解除されることを特徴とする健康器具。
【発明の詳細な説明】
【技術分野】
【０００１】
本発明は、操作部の操作により作動する可動部を有する健康器具に関するものである。
【背景技術】
【０００２】
この種の健康器具において例えばマッサージ椅子では、背もたれに組み込まれた可動部としてのマッサージ機構を有し、そのマッサージ機構は操作部に設けられた各種操作スイッチの操作に応じて作動して、着座した使用者にマッサージを行うようになっている（例えば特許文献１参照）。この特許文献１のようなマッサージ椅子では、マッサージ椅子の本来の使用でない作動（例えば、子供のいたずら等）を防止するために、電源スイッチのオフ状態をロックするための施錠スイッチが設けられている。この施錠スイッチのロックを解除しないとマッサージ椅子の電源をオンにすることはできないため、子供が簡単に操作できないようになっている。
【特許文献１】特開平９−１４０７５７号公報
【発明の開示】
【発明が解決しようとする課題】
【０００３】
ところで、上記のような健康器具では、施錠スイッチのロックが容易に解除されないように、電源スイッチ及び施錠スイッチは目の届きにくいマッサージ椅子の脚部周辺や背もたれ部の背面等に設けられていることもあいまって、マッサージ椅子を使用後に毎回電源スイッチのオフ及び施錠スイッチのロックをするのが面倒であり、その点においてなお、改善の余地があった。
【０００４】
本発明は、上記課題を解決するためになされたものであって、その目的は、誤操作を容易に防止することが可能な健康器具を提供することにある。
【課題を解決するための手段】
【０００５】
上記課題を解決するために、請求項１に記載の発明は、操作部に設けられた各種操作スイッチの操作により作動する可動部を備えた健康器具であって、所定時間内における前記操作スイッチの累積操作回数に基づいて誤操作を判定する誤操作判定手段と、その誤操作判定に基づき前記可動部の作動を停止し、以後の前記操作スイッチの操作を無効とする作動停止手段とを備えたことをその要旨とする。
【０００６】
この発明では、例えば子供のいたずら等で健康器具の本来の使用でない作動を起こしたときに、操作スイッチにおける所定時間内の累積操作回数に基づいて誤操作を判定する誤操作判定手段により、その操作を誤操作と判定することが可能である。そして、その誤操作判定に基づき作動停止手段により可動部の作動が停止され、以後の操作スイッチの操作が無効とされる。従って、誤操作を行わせない機構を別途必要とせず、スイッチ操作で誤操作を監視できるため、誤操作を容易に防止することが可能である。
【０００７】
請求項２の発明は、請求項１に記載の健康器具において、前記操作スイッチは、前記操作部を起動又は停止させるための作動スイッチを含み、前記誤操作判定手段は、前記作動スイッチの累積操作回数に基づいて誤操作を判定することをその要旨とする。
【０００８】
この発明では、操作部を起動又は停止させるための作動スイッチを含み、その作動スイッチの累積操作回数に基づいて誤操作判定手段は誤操作を判定する。そのため、健康器具の本来の使用でない操作を誤操作と判定することが可能である。
【０００９】
請求項３の発明は、請求項１に記載の健康器具において、前記誤操作判定手段は、その時々で無効化されている前記操作スイッチの累積操作回数に基づいて誤操作を判定することをその要旨とする。
【００１０】
この発明では、誤操作判定手段は、その時々で無効化されている前記操作スイッチの累積操作回数に基づいて誤操作を判定するため、健康器具の本来の使用でない操作を誤操作と判定することが可能である。
【００１１】
請求項４の発明は、請求項３に記載の健康器具において、前記操作スイッチは、常時無効化されたダミースイッチを含み、前記誤操作判定手段は、前記ダミースイッチの操作を無効化されている前記操作スイッチの累積操作回数としてカウントすることをその要旨とする。
【００１２】
この発明では、操作スイッチは常時無効化されたダミースイッチを含み、誤操作判定手段は、ダミースイッチの操作を無効化されている操作スイッチの累積操作回数としてカウントする。そのため、例えば子供がいたずらで操作部を操作してしまった場合に、無効化された操作スイッチの操作回数が増え易くなり、誤操作判定の確実性を向上させることができる。
【００１３】
請求項５の発明は、請求項４に記載の健康器具において、前記ダミースイッチは、そのスイッチ自身又はその操作により視覚的に作用させる、若しくはその操作により聴覚的に作用させることをその要旨とする。
【００１４】
この発明では、ダミースイッチは例えば色、形状等の視覚的特徴を有する。また、例えばダミースイッチの操作により視覚的若しくは聴覚的に作用させる。そのため、子供等の使用者のダミースイッチへの関心を惹くことが可能であり、ダミースイッチの操作回数を増加させることが可能である。
【００１５】
請求項６の発明は、請求項１〜５のいずれか１項に記載の健康器具において、前記誤操作判定手段の誤操作判定に基づいて作動する報知手段を備えたことをその要旨とする。
この発明では、誤操作判定に基づいて作動する報知手段を備えるため、誤操作判定に基づく健康器具の作動停止を周囲に報知することができる。
【００１６】
請求項７の発明は、請求項１〜６のいずれか１項に記載の健康器具において、前記作動停止手段による作動停止状態は、健康器具の主電源スイッチを一旦オフした後、再びオンすることで解除されることをその要旨とする。
【００１７】
この発明では、作動停止手段による作動停止状態が、健康器具の主電源スイッチを一旦オフした後、再びオンすることで解除されるため、その作動停止状態を容易に解除することができる。
【発明の効果】
【００１８】
本発明によれば、健康器具の誤操作を容易に防止することが可能である。
【発明を実施するための最良の形態】
【００１９】
以下、本発明をマッサージ椅子に具体化した一実施形態を図面に従って説明する。
図１に示すマッサージ椅子１０において、床面に載置される脚部１１にはマッサージ椅子１０の幅方向両端にそれぞれ配置された一対の側壁１２が支持固定されるとともに、それら側壁１２間には使用者が着座可能な座部１３が固定されている。その座部１３の後部には、着座した使用者が背中をもたれ掛けさせるための背もたれ部１４が傾動可能に設けられるとともに、背もたれ部１４内部には使用者の肩から背中にかけてマッサージ可能な可動部としてのマッサージ機構１５が組み込まれている。また、各側壁１２の上方には使用者の腕や肘等を置くための肘掛け１７が設けられている。
【００２０】
図１において奥側の側壁１２に支持されるとともに肘掛け１７の上方まで延びる保持部１８には、前記マッサージ機構１５を操作するための操作器（操作部）２１が着脱可能に保持されている。操作器２１には、図２に示すように、この操作器２１自体の作動を起動又は停止させるための作動スイッチ（ｓｗ）２２と、マッサージ椅子１０に対して所望の動作をさせるための複数のスイッチとからなる各種操作スイッチが設けられている。前記複数のスイッチは、ユーザ選択スイッチ２３、コース選択スイッチ２４、微調節スイッチ２５及び付加動作スイッチ２６等から構成されている。また、操作器２１にはマッサージ内容等を表示する報知手段としての表示部２７が設けられている。
【００２１】
尚、ユーザ選択スイッチ２３は、マッサージ中に調節した使用者の好みのマッサージ内容を登録し、その登録内容でマッサージを始めるためのものであり、コース選択スイッチ２４は、予め設定されたコースに沿ってマッサージを行うためのものである。また、微調節スイッチ２５はマッサージ機構１５の接触圧、マッサージ位置等の調節を行うためのものであり、付加動作スイッチ２６はマッサージ動作に変化を加えるためのものである。
【００２２】
このような各種操作スイッチは、図３に示すように、複数の階層に分けられている。本実施形態では、作動スイッチ２２が第１階層Ｃ１に、ユーザ選択スイッチ２３及びコース選択スイッチ２４が第２階層Ｃ２に、微調節スイッチ２５、付加動作スイッチ２６及び所定スイッチが第３階層Ｃ３に、そして、その他のスイッチが第４階層Ｃ４にそれぞれ分けられている。操作器２１が作動していないときには、第１階層Ｃ１の作動スイッチ２２のみが有効化スイッチであり、それより下位階層のスイッチ群は全て無効化されている。無効化された階層のスイッチ操作はマッサージ椅子１０の作動に反映されないようになっている。有効化された階層のスイッチが操作されると、その操作に応じてマッサージ椅子１０が作動されるとともに、それより１つ下の階層に属するスイッチ群が有効化されるようになっている。
【００２３】
図２に示すように、有効化された各種操作スイッチが操作されると、その操作に応じた信号が誤操作判定手段及び作動停止手段としての制御部３１に出力され、制御部３１はその信号に基づいてマッサージ機構１５を駆動する駆動モータ１５ａや背もたれ部１４等のマッサージ椅子１０の各部を作動させるようになっている。一方、無効化されている各種操作スイッチ（以下、無効化スイッチという）が操作されると、その信号は制御部３１に出力され、その信号に基づき制御部３１のカウンタ３２は無効化スイッチの操作回数をカウントするようになっている。また、このカウンタ３２は、無効化スイッチのカウントとは別に、作動スイッチ２２の操作回数もカウントするようになっている。また、制御部３１には計時するためのタイマ３３が設けられている。尚、マッサージ椅子１０に設けられた主電源スイッチ３４の操作によりマッサージ椅子１０全体の主電源のオン／オフがなされるようになっている。
【００２４】
このようなマッサージ椅子１０において、誤操作判定処理について図４及び図５のフローチャートに従って説明する。本実施形態の制御部３１による誤操作判定処理は、図４に示す作動スイッチ２２の操作回数ｎに基づくものと、図５に示す無効化スイッチの操作回数ｋに基づくものとで２つ設定されている。
【００２５】
図４に示すように、マッサージ椅子１０の主電源がオンされると、ステップＳ１では制御部３１はタイマ３３の計時時間ｔ１とカウンタ３２による作動スイッチ２２の操作回数ｎとをそれぞれ初期化（ｔ１＝０、ｎ＝０）し、ステップＳ２に進む。ステップＳ２で制御部３１が作動スイッチ２２の操作信号を受けるとステップＳ３に進み、ステップＳ３でタイマ３３による計時がスタートするとともに作動スイッチ２２の操作回数ｎ＝１とし、ステップＳ４に進む。ステップＳ４では、制御部３１は作動スイッチ２２の操作信号を受けると、ステップＳ６に進み、このステップＳ６でカウンタ３２は作動スイッチ２２の操作回数ｎに１を加算し、ステップＳ７に進む。ステップＳ７では、作動スイッチ２２の操作回数ｎが所定の累積操作回数Ｎまで達したか否かを判別する。
【００２６】
ステップＳ７において、作動スイッチ２２の操作回数ｎが累積操作回数Ｎに達していないと判定すると、ステップＳ５に進み、タイマ３３の計時時間ｔ１が予め設定された所定時間Ｔ１に達する否かを判別する。計時時間ｔ１が所定時間Ｔ１に達していないと判定すると、ステップＳ４（作動スイッチ２２の操作待ちの状態）に戻る。一方、計時時間ｔ１が所定時間Ｔ１に達したと判定すると、前記ステップＳ１に戻り、計時時間ｔ１及び作動スイッチ２２の操作回数ｎがともにリセット（初期化）される。また、ステップＳ３以降において、作動スイッチ２２が操作されないまま時間が経過し、タイマ３３の計時時間ｔ１が所定時間Ｔ１に達した場合においても、ステップＳ１に戻り、タイマ３３の計時時間ｔ１及び作動スイッチ２２の操作回数ｎがともにリセットされる。
【００２７】
一方、ステップＳ７において、作動スイッチ２２の操作回数ｎが累積操作回数Ｎに達したと判定すると、ステップＳ８で制御部３１は誤操作と判定し、ステップＳ９へ進む。ステップＳ９では、制御部３１はマッサージ機構１５の作動を停止する（作動中の場合）とともに、操作器２１に報知許可信号を出力する。操作器２１はこの信号を受け、全ての操作スイッチの操作を無効とし、表示部２７に誤操作判定による作動停止を示すメッセージを表示するようになっている。
【００２８】
図５に示す無効化スイッチの操作回数ｋに基づく処理（ステップＳ１１〜Ｓ１９）は、図４に示す作動スイッチ２２の操作回数ｎに基づく処理と略同様であり、操作スイッチの操作回数ｎを無効化スイッチの操作回数ｋに、累積操作回数Ｎを累積操作回数Ｋに、計時時間ｔ１を計時時間ｔ２に、所定時間Ｔ１を所定時間Ｔ２にそれぞれ変更したものである。本実施形態では、所定時間Ｔ１，Ｔ２は３０秒、累積操作回数Ｎ，Ｋは６回にそれぞれ設定されている。また、カウンタ３２は作動スイッチ２２の操作回数ｎと、無効化スイッチの操作回数ｋとを個別にカウントし、タイマ３３は計時時間ｔ１，ｔ２をそれぞれ個別に計時するようになっている。尚、誤操作判定による作動停止状態は、主電源スイッチ３４を一旦オフした後、該スイッチを再びオンすることで解除されるようになっている。
【００２９】
このようなマッサージ椅子１０では、マッサージ椅子１０の主電源がオンのとき、例えば子供のいたずら等によりマッサージ椅子１０の本来の使用でない作動を起こした場合に、その操作を誤操作と判定して作動停止する。そのため、誤操作を行わせない機構を別途必要とせず、スイッチ操作で誤操作を監視することができるので、誤操作を容易に防止することが可能である。
【００３０】
次に、本実施形態の特徴的な作用効果を記載する。
（１）健康器具としてのマッサージ椅子１０において、所定時間Ｔ１，Ｔ２内における各種操作スイッチの累積操作回数Ｎ，Ｋに基づいて誤操作を判定する誤操作判定手段、及び誤操作判定に基づき可動部としてのマッサージ機構１５の作動を停止し、以後の操作スイッチの操作を無効とする作動停止手段としての制御部３１を備える。そのため、例えば子供のいたずら等によりマッサージ椅子１０の本来の使用でない作動を起こしたときに、その子供の操作を制御部３１により誤操作と判定することが可能であり、その後、制御部３１によりマッサージ機構１５の作動が停止され、以後の操作スイッチの操作が無効とされる。従って、誤操作を行わせない機構を別途必要とせず、スイッチ操作で誤操作を監視することができるので、誤操作を容易に防止することが可能である。
【００３１】
（２）操作器２１を起動又は停止させるための作動スイッチ２２を含み、その作動スイッチ２２の累積操作回数Ｎに基づいて制御部３１は誤操作を判定する。そのため、マッサージ椅子１０の本来の使用でない操作を誤操作と判定することが可能である。
【００３２】
（３）制御部３１は、その時々で無効化されている前記操作スイッチの累積操作回数Ｋに基づいて誤操作を判定するため、マッサージ椅子１０の本来の使用でない操作を誤操作と判定することが可能である。
【００３３】
（４）制御部３１は誤操作判定に基づき報知許可信号を操作器２１に出力し、その操作器２１には報知許可信号に基づいて作動する報知手段としての表示部２７が設けられるため、誤操作判定に基づくマッサージ椅子１０の作動停止を周囲に報知することができる。
【００３４】
（５）誤操作判定による作動停止状態が、主電源スイッチ３４を一旦オフした後、該スイッチを再びオンすることで解除されるため、その作動停止状態を容易に解除することができる。
【００３５】
尚、本発明の各実施形態は、以下のように変更してもよい。
・上記実施形態において、操作器２１若しくはマッサージ椅子１０本体に設けられた報知手段を構成するスピーカ４０から、制御部３１の誤操作判定に基づき警報音や音声案内を出力するように構成してもよい。
【００３６】
・上記実施形態では、ユーザ選択スイッチ２３、コース選択スイッチ２４、微調節スイッチ２５及び付加動作スイッチ２６等からなる各種操作スイッチを有する操作器２１に実施されたが、他の構成の操作スイッチを有する操作器において実施してもよい。
【００３７】
・上記実施形態の操作器２１において、図６（ａ）（ｂ）に示すように、常時無効化されたダミースイッチ５０を各種操作スイッチが設けられた操作面２１ａに設けてもよい。ダミースイッチ５０は他の操作スイッチと比べて大きな形状をなすとともに、その表面に視覚的に関心を惹くようなイラストが描画されている。また、視覚的に関心を惹くようなダミースイッチ５０の構成として、例えば、その操作によりダミースイッチ５０から光が出るように構成してもよく、また、その操作により表示部２７に例えばアニメーション表示をするようにしてもよい。また、聴覚的に関心を惹くような構成として、ダミースイッチ５０の操作により操作器２１のスピーカ４０（若しくはマッサージ椅子１０本体に設けられたスピーカ）から効果音や音楽が流れるように構成してもよい。このようなダミースイッチ５０が操作されると、その操作信号が制御部３１に出力され、無効化スイッチの操作回数としてカウントされるようになっている。このような構成によれば、例えば子供がいたずらで操作器２１を操作してしまった場合に、無効化スイッチの操作回数が増え易くなり、誤操作判定の確実性を向上させることができる。また、視覚的、聴覚的に関心を惹くような構成とすることで、ダミースイッチ５０の操作回数を増加させることが可能である。
【００３８】
・上記実施形態では、操作部をマッサージ椅子１０本体から分離された操作器２１としたが、この操作器２１の形態に限定されるものではなく、例えば、マッサージ椅子１０の側壁１２等に一体に設けた操作部としてもよい。
【００３９】
・上記実施形態では、制御部３１による誤操作判定処理は、作動スイッチ２２の操作回数ｎに基づくものと、無効化スイッチの操作回数ｋに基づくものとで２つ設定されたが、いずれか一方のみの処理を行うように設定してもよい。
【００４０】
・上記実施形態では、カウンタ３２は作動スイッチ２２の操作回数ｎと、無効化スイッチの操作回数ｋとを個別にカウントするように構成されたが、それらをまとめてカウントするようにしてもよい。
【００４１】
・上記実施形態では、所定時間Ｔ１，Ｔ２及び累積操作回数Ｎ，Ｋはそれぞれ３０秒、６回に設定されたが、特にこれに限定されるものではなく、例えば所定時間Ｔ１，Ｔ２を２０秒、４０秒等の３０秒以外の時間に設定してもよく、また、累積操作回数Ｎ，Ｋを６回以外の回数に設定してもよい。尚、所定時間Ｔ１，Ｔ２をそれぞれ別の値に設定、また、累積操作回数Ｎ，Ｋをそれぞれ別の値に設定してもよい。
【００４２】
・上記実施形態では、タイマ３３による計時時間ｔ１，ｔ２の計時はともに操作スイッチの操作をトリガとしてスタートするようになっているが、これ以外に例えば、主電源スイッチ３４のオンをトリガとしてもよい。
【００４３】
・上記実施形態では、マッサージ椅子１０に適用したが、これ以外に例えば、図７に示すような揺動型運動装置６０に適用してもよい。揺動型運動装置６０は床面に載置された脚部６１の上端に可動部としての運動機構６２が設けられるとともに、その運動機構６２の上部には馬の背や鞍を模した形状で使用者が着座する座部６３が固定されている。そして、この運動機構６２は座部６３を前後方向及び左右方向に揺動するように構成されている。座部６３の上面前方（図において左側）には運動機構６２を操作するための操作部６４が設けられている。操作部６４は、図８に示すように、揺動型運動装置６０の起動、停止を行うための作動スイッチ６４ａ、運動機構６２の動作状態を変更するための複数の動作選択スイッチ６４ｂ等からなる各種操作スイッチが設けられている。この揺動型運動装置６０は、ハード的には上記実施形態のマッサージ椅子１０と相違するが、誤操作判定処理、作動停止処理等のソフト的な部分においては同様な処理を行うようになっており、上記実施形と同様の作用効果を得ることができる。
【図面の簡単な説明】
【００４４】
【図１】本実施形態のマッサージ椅子を示す斜視図。
【図２】マッサージ椅子の電気的構成図。
【図３】各種操作スイッチを階層的に示す説明図。
【図４】誤操作判定処理のフローチャート。
【図５】誤操作判定処理のフローチャート。
【図６】（ａ）（ｂ）別例の操作器を示す概略図。
【図７】別例としての揺動型運動装置を示す側面図。
【図８】揺動型運動装置の操作部を示す平面図。
【符号の説明】
【００４５】
１０…健康器具としてのマッサージ椅子、１５…可動部としてのマッサージ機構、２１…操作部としての操作器、２２，６４ａ…各種操作スイッチを構成する作動スイッチ、２３…各種操作スイッチを構成するユーザ選択スイッチ、２４…各種操作スイッチを構成するコース選択スイッチ、２５…各種操作スイッチを構成する微調節スイッチ、２６…各種操作スイッチを構成する付加動作スイッチ、２７…報知手段としての表示部、３１…誤操作判定手段及び作動停止手段としての制御部、４０…報知手段を構成するスピーカ、５０…ダミースイッチ、６０…健康器具としての揺動型運動装置、６２…可動部としての運動機構、６４…操作部、６４ｂ…各種操作スイッチを構成する動作選択スイッチ。
【図１】
2009082177.tif 000003
【図２】
2009082177.tif 000004
【図３】
2009082177.tif 000005
【図４】
2009082177.tif 000006
【図５】
2009082177.tif 000007
【図６】
2009082177.tif 000008
【図７】
2009082177.tif 000009
【図８】
2009082177.tif 000010